(57)【要約】【課題】構成部品の配設が容易な給水装置を提供する。【解決手段】本発明の実施形態にかかる給水装置は、架台と、前記架台を覆うとともに前記架台ととともに収容部を構成するポンプカバーと、前記収容部に配されるポンプ装置と、前記収容部内に配され、前記ポンプ装置に接続される配管と、前記収容部を前記ポンプ装置と前記配管を収容する一方側と他方側に仕切るとともに、前記配管の開口部に対向する位置に、孔部を有する、仕切りフレームと、を備える。【選択図】      図２
2019143496.tif 000002
【特許請求の範囲】
【請求項１】
架台と、
前記架台を覆うとともに前記架台ととともに収容部を構成するポンプカバーと、
前記収容部に配されるポンプ装置と、
前記収容部内に配され、前記ポンプ装置に接続される配管と、
前記収容部を前記ポンプ装置と前記配管を収容する一方側と、他方側に仕切るとともに、前記配管の開口部に対向する位置に、孔部を有する、仕切りフレームと、
を備える、給水装置。
【請求項２】
前記ポンプ装置は、ポンプ吸込口及びポンプ吐出口と、を備え、
前記配管は、前記仕切りフレーム上に配され、下向きの吸込口を有する吸込連結曲管と、前記仕切りフレーム上に配され、下向きの吐出口を有する吐出連結曲管と、を備え、
前記開口部は、前記吸込口及び前記吐出口、の少なくともいずれかであり、
前記孔部は前記開口部の直下に配され、
前記仕切りフレームは前記吸込口に接続される吸込側配管、前記吐出口に接続される吐出側配管が配される孔部を有する、
請求項１に記載の給水装置。
【請求項３】
前記仕切りフレームの下側に横向きに配されるアキュムレータを備え、
前記アキュムレータの下側に、配管スペースが形成され、
前記仕切りフレームには、前記仕切りフレーム上の吐出連結管と、前記仕切りフレーム下の前記アキュムレータとを接続する接続配管が配される接続配管用の孔部を備える、請求項２記載の給水装置。
【請求項４】
前記架台は、前記収容部の側方に配されるサイドフレームを備え、
前記サイドフレームの、前記仕切りフレームよりも下の位置には、配管が接続される配管用の孔部が形成されている、請求項１乃至３のいずれかに記載の給水装置。
【請求項５】
前記ポンプ装置の吸込側に接続される逆流防止装置を備え、
前記逆流防止装置は、前記仕切りフレーム上に配され、前記逆流防止装置は下向きの排水口を有する逃がし弁部を備え、
前記仕切りフレームの前記孔部は前記排水口の直下に配され、
前記逆流防止装置の下方において、前記仕切りフレームの前記孔部の周囲に、筒状の集水ホッパが設けられ、
前記仕切りフレームの、前記集水ホッパ及び前記孔部の下側に、継手が接続可能に構成された、請求項１乃至４のいずれかに記載の給水装置。
【発明の詳細な説明】
【技術分野】
【０００１】
本発明は、パッケージ型の給水装置に関する。
【背景技術】
【０００２】
直結給水装置等の給水装置において、例えば、架台と防滴用のポンプカバーとで構成される収容部に、モータを備えるポンプ装置、配管、アキュムレータ、及び制御盤等の構成品が収容されている。例えば、制御盤は、制御ボックスと、制御ボックス内に配される制御機器とを備える。
【先行技術文献】
【特許文献】
【０００３】
【特許文献１】特開２００２−１６８１９９号公報
【発明の概要】
【発明が解決しようとする課題】
【０００４】
このような給水装置において、限られた収容部に、配管やアキュムレータを含む各種構成部品が収容される。構成部品の配設やメンテナンス時の作業性のよい給水装置が望まれている。
【０００５】
そこで、本発明は構成部品の配設が容易な給水装置を提供することを目的とする。
【課題を解決するための手段】
【０００６】
本発明の実施形態にかかる給水装置は、架台と、前記架台を覆うとともに前記架台との間に収容部を構成するポンプカバーと、前記収容部に配されるポンプ装置と、前記収容部内に配され、前記ポンプ装置に接続される配管と、前記収容部を前記ポンプ装置と前記配管を収容する一方側と、他方側に仕切るとともに、前記配管の開口部に対向する位置に、孔部を有する、仕切りフレームと、を備える。
【発明の効果】
【０００７】
本発明によれば構成部品の配設が容易な給水装置を提供することができる。
【図面の簡単な説明】
【０００８】
【図１】本発明の一実施形態にかかる給水装置の正面図。
【図２】同給水装置の内部構成を一部断面で示す正面図。
【図３】同給水装置の内部構成を一部断面で示す正面図。
【図４】同給水装置の内部構成を一部断面で示す側面図。
【図５】同給水装置の断面図。
【図６】同給水装置の内部構成を一部断面で示す平面図。
【図７】同給水装置の内部構成を示す平面図。
【図８】同給水装置の内部構成を示す平面図。
【図９】同給水装置の制御盤の正面図。
【図１０】同制御盤のインバータの下面図。
【図１１】同制御盤のベースフレームの正面図。
【図１２】同制御盤のベースフレームの平面図。
【発明を実施するための形態】
【０００９】
以下、本発明の一実施形態にかかる給水装置１０について、図１乃至図１２を参照して説明する。図１は本発明の一実施形態にかかる給水装置１０の外観を示す正面図であり、図２は吸込管を通る断面を正面側から見た説明図、図３は給水装置１０の吐出管を通る断面を正面側すなわち前方から見た説明図である。図４及び図５は給水装置１０の断面を側方から見た説明図である。図６は給水装置１０の内部構成を上から見た図である。図７は、図８は給水装置１０の内部構成を上から見た説明図である。図９は制御盤の正面図、図１０はインバータの下面図、図１１及び図１２はベースフレームの正面図及び平面図である。
【００１０】
図１乃至図１２に示すように、給水装置１０は、架台１１と、ポンプカバー１２と、複数のポンプ装置２０と、配管３０と、逆流防止装置１３と、アキュムレータ１４と、制御盤１５と、を備える。給水装置１０は、架台１１とポンプカバー１２により区画された収容部である収容空間内に、ポンプ装置２０や配管３０、制御盤１５などの構成部品を収納した、パッケージ型の給水装置である。
【００１１】
架台１１は、互いに直交する３方向にそれぞれ沿う、底フレーム１１ａと、後部フレーム１１ｂと、サイドフレーム１１ｃ、仕切りフレーム１１ｄと、を備える。収容部は、ポンプ装置２０が配される仕切りフレーム１１ｄの上側の上部収容室Ａ１と、アキュムレータ１４等が配される仕切りフレーム１１ｄの下側の下部収容室Ａ２と、を有する。
【００１２】
底フレーム１１ａは、矩形の枠状に構成され、サイドフレーム１１ｃの両側面を連結している。サイドフレーム１１ｃの両側面の外側には脚フレーム１１ｋが取付けられている。脚フレーム１１ｋは互いに対向する一対のフレーム部材で構成され、サイドフレーム１１ｃの両側面外側に取り付けられ、締結部材用の孔部を有する。脚フレーム１１ｋは給水装置１０を設置する地上面上に配される。
【００１３】
後部フレーム１１ｂは矩形の板状に構成されている。後部フレーム１１ｂは、底フレームの後側のフレーム部材上に立設され、上方に延びている。  
サイドフレーム１１ｃは、後部フレーム１１ｂの幅方向両端縁から屈曲して前方に延びる。サイドフレーム１１ｃの下部の領域は、仕切りフレーム１１ｄの幅方向両端縁に接続され、一対の脚片を形成する。サイドフレーム１１ｃの内側壁面には、操作方法の説明図や内部ブロック図が貼り付けられ、表示されている。
【００１４】
サイドフレーム１１ｃの下部領域の所定箇所には、水平方向に敷設される配管を接続する配管用孔１９ａ、１９ｂが形成されている。配管用孔１９ａ、１９ｂは、例えば下向きに配される吸込口３１ａ、吐出口３５ａ、排水口３８ａに接続され、サイドフレーム１１ｃを貫通して、下方において屈曲され、外部に引き出される配管が、貫通して接続可能に構成されている。配管用孔１９ａ、１９ｂは、吸込連結曲管３１や吐出連結曲管３５の水平部分の延長線上の直下の位置に配されている。また、配管用孔１９ａ、１９ｂは、その中心がアキュムレータ１４よりも下位置に配される。また配管用孔１９ａ、１９ｂの中心は、例えば現地施工にて接続される吸込側配管３０ａ及び吐出側配管３０ｂの半径よりも長い距離、地上の設置面から、離間して、配されている。
【００１５】
仕切りフレーム１１ｄは、矩形の板状に構成され、後部フレーム１１ｂの前面の所定位置から前方に延びる。仕切りフレーム１１ｄは、後部フレーム１１ｂと直交する姿勢に配され、収容空間を上下に仕切る。仕切りフレーム１１ｄは、例えば水平に配される。仕切りフレーム１１ｄには、孔部として、吸込口３１ａに接続される吸込側配管３０ａが貫通する吸込配管孔１１ｅと、吐出口３５ａに接続される吐出側配管３０ｂが貫通する吐出配管孔１１ｆと、逃がし弁部３８の開口部である排水口３８ａの直下、すなわち一方側に対向する位置に、位置する排水孔１１ｇと、アキュムレータ１４を接続する接続配管１４ａ用の接続配管孔１１ｈと、が形成されている。仕切りフレーム１１ｄは下方に位置する底フレーム１１ａとの間に、所定の高さを有する配管スペースとなる下部収容室Ａ２を形成する。仕切りフレーム１１ｄは、上方に位置する逆流防止装置１３やポンプ装置２０、連結管３２などに結露した水が落下した場合に外部に漏水しない様に受ける、結露水用のトレイとしての機能を有している。
【００１６】
仕切りフレーム１１ｄの、排水孔１１ｇの周囲には、集水用のホッパ４１（集水ホッパ）が配される。ホッパ４１は、仕切りフレーム１１ｄの、排水孔１１ｇの外周部分から上方に立設される円筒状部材である。ホッパ４１は、排水孔１１ｇよりも大径に構成されている。排水孔１１ｇの下面側、すなわち、仕切りフレーム１１ｄの下面側には、排水の流路を形成する継手である管状継手４１ｂが設けられている。管状継手４１ｂは排水孔１１ｇに接続され、下方に延び、排水孔１１ｇと連通する流路を形成する。ホッパ４１の上端部と、漏水検知電極３９との間の距離Ｌ１は、排水孔１１ｇの直径ｄ１の２倍以上に設定されている。
【００１７】
ポンプカバー１２は、前壁部１２ａと、側壁部１２ｂと、上壁部１２ｃと、傾斜壁部１２ｄと、を一体に備える。ポンプカバー１２は、端縁部が架台１１のサイドフレーム１１ｃのねじ部に締結され、支持されている。ポンプカバー１２は、架台１１上に組付けられる。架台１１とポンプカバー１２とは、収容空間を覆い、内部の機器を保護する、防滴機能を有する。
【００１８】
前壁部１２ａはプレート状に構成され、架台１１の上部収容室Ａ１の前方を覆うとともに、下部収容室Ａ２の上部の領域を覆う。前壁部１２ａは、下端縁１２ｇが、架台１１の地上設置面よりも上方であり、底フレーム１１ａの上方に離間した位置に配され、アキュムレータ１４の大部分の前方を覆う。すなわち、前壁部１２ａにより給水制御に必要な内部機器であるアキュムレータ１４を風雨や煤塵から防護しつつ、下部収容室Ａ２の下側の領域は前方が開口している。前壁部１２ａの内面には防音性を高める吸音材１２ｅが貼り付けられている。
【００１９】
また、前壁部１２ａの、逆流防止装置１３の前方に対向する箇所には、透明な材料で構成された窓部１２ｉが形成されている。窓部１２ｉを通して外部から逆流防止装置１３の漏水を視認により確認することが可能になっている。
【００２０】
一対の側壁部１２ｂは、前壁部１２ａの両側縁からそれぞれ屈曲して後方に延びる。側壁部１２ｂは上部収容室Ａ１の側方をそれぞれ覆う。傾斜壁部１２ｄは、前壁部１２ａの上縁から屈曲して後方及び上方に向けて斜めに延びる。傾斜壁部１２ｄには、透明な材料で構成された窓部１２ｆが設けられている。窓部１２ｆを通して外部から内部が視認できる構成である。例えば窓部１２ｆは、制御盤１５の表示部に対向する位置に設けられ、外方から表示部が視認できるようになっている。
【００２１】
上壁部１２ｃは、傾斜壁部１２ｄの上後方の端縁から連続して屈曲して後方に延びる。上壁部１２ｃの両側縁は両側壁部１２ｂの上端縁に接続されている。上壁部１２ｃは上部収容室Ａ１の上方を覆う。
【００２２】
ポンプ装置２０は、モータ２１と、モータ２１に接続されたインペラを有する１段または複数段のポンプ２３と、を備え、流体を増圧して二次側に圧送する。本実施形態においては一対のポンプ装置２０が縦置きの状態で設置されている。ポンプ装置２０は防振体を介して架台１１の仕切りフレーム１１ｄ及び後部フレーム１１ｂに固定された台座フレーム１１ｉに、固定されている。
【００２３】
ポンプ２３は、下端部にポンプ吸込口２３ａを有し、正面部にポンプ吐出口２３ｂを有している。ポンプ吸込口２３ａには配管３０の吸込連結管３２が接続される。ポンプ吐出口２３ｂに各ポンプ２３の吐出側の流路を形成する個別吐出管３４ａが接続される。
【００２４】
各モータ２１はケーブルを介して制御盤１５に接続されている。制御盤１５に設けられる制御部の制御によりモータ２１が駆動され、ポンプ装置２０が運転制御される。
【００２５】
配管３０は、逆流防止装置１３の一次側に配される吸込連結曲管３１と、逆流防止装置１３の二次側に配される吸込連結管３２と、吸込連結管３２から分岐して各ポンプ２３のポンプ吸込口２３ａに至るとともにボール弁３３ｂが内蔵された一対のボール弁部３３と、ポンプ２３のポンプ吐出口２３ｂに接続される複数の個別吐出管３４ａと、複数の個別吐出管３４ａとボール弁部３３とを連通する吐出連結管３４ｂと、吐出連結曲管３５と吸込連結管３２を接続するバイパス連結部３６と、を備える。吸込連結管３２と吐出連結管３４ｂは防振体を介して架台１１の後部フレーム１１ｂに固定された支え１１ｊに固定されている。
【００２６】
吸込連結曲管３１は、一端側に下向きの吸込口３１ａを有している。吸込連結曲管３１は、吸込口３１ａから上方に延び、屈曲して水平に向けて延びている。吸込連結曲管３１の他端側は水平に配される逆流防止装置１３に接続される。
【００２７】
吸込連結曲管３１の吸込口３１ａ近傍には、ボール弁３３ｂとストレーナ３７が内蔵されている。下向きの吸込口３１ａは吸込側防振継手４３を介して、仕切りフレーム１１ｄに形成された吸込配管孔１１ｅを貫通して水道配管に接続される。吸込連結曲管３１には第１の圧力検出部としての第１圧力センサ１６ａが設けられている。第１圧力センサ１６ａは、吸込連結曲管３１内の圧力、すなわち逆流防止装置１３の一次側の圧力を検出する。吸込連結曲管３１の他端は逆流防止装置１３に接続される。
【００２８】
逆流防止装置１３は、吸込連結曲管３１と吸込連結管３２との間に設けられている。逆流防止装置１３は、第１の逆止弁１３ａと、第２の逆止弁１３ｂと、リテーナ１３ｃと、を備え、流路における液体の流れの方向を一方向に規制する。逆流防止装置１３の下部には下方に鉛直に延びる逃がし弁部３８が設けられている。
【００２９】
逃がし弁部３８は逆流防止装置１３から垂直に下方に延びている。逃がし弁部３８の下方の先端部に配される下向きの排水口３８ａには漏水検知電極３９が設けられている。漏水検知電極３９は、逆流防止装置１３からの漏水を検出する。検出された漏水信号は漏水検知基板６１へ送られる。
【００３０】
吸込連結管３２は、逆流防止装置１３の二次側に接続される。吸込連結管３２は例えば２台のポンプ装置２０の下方において水平に延び、２つに分岐して上方に向けて延び、２台のポンプ装置２０のポンプ吸込口２３ａに接続される。
【００３１】
一対のボール弁部３３は、一対のポンプ２３のポンプ吸込口２３ａにそれぞれ接続されている。ボール弁部３３は、流路を形成する管部３３ａと、管部３３ａ内に内蔵されたボール弁３３ｂと、ボール弁３３ｂに連結されたステム３３ｃと、を備える。ボール弁部３３は、ボール状の弁体であるボール弁３３ｂが、ステム３３ｃの回動操作により回転することで、管部３３ａ内の流路を開閉する。
【００３２】
個別吐出管３４ａは、その一端がポンプ２３の側壁部に配されるポンプ吐出口２３ｂに接続されている。個別吐出管３４ａは、ポンプ吐出口２３ｂから前方に延び、屈曲して下方に延び、下方に設けられた吐出連結管３４ｂに接続されている。個別吐出管３４ａ内であってポンプ吐出口に近い所定箇所には、流れ方向を一方向に規制する逆止弁１８が設けられている。また、個別吐出管３４ａの中途部には、個別吐出管３４ａ内の液体の流量を検出する流量検出部である流量センサ１７がそれぞれ設けられている。
【００３３】
吐出連結管３４ｂは、複数の個別吐出管３４ａに接続されたボール弁部３３の二次側に接続される。吐出連結管３４ｂは例えば縦置きの２台のポンプ装置２０の下方において吸込連結管３２と並列して水平に延び、屈曲して下方に向けて延びている。
【００３４】
吐出連結曲管３５は、ボール弁３３ｂが内蔵されたボール弁部３３を介して吐出連結管３４ｂに接続され、一端側に下向きの吐出口３５ａを有する。吐出連結曲管３５の吐出口３５ａは、吐出側防振継手４２を介して、仕切りフレーム１１ｄに形成された吐出配管孔１１ｆを貫通して、蛇口などの給水先に接続される。吐出連結曲管３５には第２の圧力検出部としての第２圧力センサ１６ｂが設けられている。第２圧力センサ１６ｂは、吐出連結曲管３５内の圧力、すなわち各ポンプ２３の吐出圧力を検出する。
【００３５】
吐出連結管３４ｂの他端側には、圧力を蓄えるためのアキュムレータ１４が接続される。アキュムレータ１４は接続配管１４ａを介して吐出連結管３４ｂに接続されている。
【００３６】
アキュムレータ１４は、吐出連結曲管３５の下方であって、仕切りフレーム１１ｄよりも下側の下部収容室に設けられる。アキュムレータ１４と吐出連結管３４ｂを接続する接続配管１４ａは、仕切りフレーム１１ｄに形成された接続配管用孔１１ｈを通って配されている。本実施形態において、アキュムレータ１４は、例えば１０ｌ以上の内容量を有し、直径約２３ｃｍ、長さ約３７ｃｍに構成されている。アキュムレータ１４は、中心軸がが水平に配設されている。アキュムレータ１４の下側であって装置設置面との間には、配管が配設可能なスペースが形成されている。本実施形態においては、給水装置１０の全高ｈ１が１２００〜１３００ｍｍであり、地上の設置面からアキュムレータの下面までの高さｈ２は、１９０ｍｍ程度に構成されている。したがって、一般的に直結給水装置に用いられる配管の最大口径は約５０ｍｍ程度であり、管径は約６０ｍｍであるため、アキュムレータ１４下に配管が配設可能になっている。
【００３７】
バイパス連結部３６は吐出連結管３４ｂと吸込連結管３２とを連通するバイパス流路を形成している。バイパス連結部３６内の所定箇所には、流れ方向を吸込側から吐出し側の一方向に規制する逆止弁が設けられている。
【００３８】
第１圧力センサ１６ａ、及び第２圧力センサ１６ｂは、例えばピエゾ効果を利用した半導体式の圧力センサである。圧力センサ１６ａ，１６ｂは、センサーボディの孔部に設けられたダイヤフラムと、ダイヤフラムの上部に設けられた半導体センサと、ダイヤフラム及び半導体センサの間に設けられた液室と、液室に充填された非腐食性液体、例えばシリコンオイルと、を備える。
【００３９】
圧力センサ１６ａ，１６ｂは、配管３０内の圧力を検出し、アナログ電圧出力可能に構成されている。圧力センサ１６ａ，１６ｂは、ダイヤフラムが配管３０内の圧力により変化したときに、液室内のシリコンオイルによって半導体センサに圧力が印加され、当該圧力に応じた半導体センサの歪み量を信号に変換することで、圧力を検出する。圧力センサ１６ａ，１６ｂは、信号線を介して制御盤１５の制御部に接続され、検出した圧力信号を制御部に送る。
【００４０】
流量センサ１７は例えば磁石が設けられた羽根車を備え、磁石に接続されたホールＩＣにて流量検出を行う回転式のセンサである。
【００４１】
図９乃至図１２に示す様に、制御盤１５は、ベースフレーム５１と、ベースフレーム５１の前面に搭載された制御機器５２と、を備える。
【００４２】
ベースフレーム５１は例えば金属板が折曲形成されて断面視Ｌ字状に構成されている。ベースフレーム５１は、収容空間内で起立するバックフレーム部５１ａと、バックフレーム部５１ａの下端部からバックフレーム部５１ａと交差する方向である前方に延びる、フロアフレーム部５１ｂとを有している。
【００４３】
制御機器５２として、各ポンプに接続される一対のインバータ５４と、主制御基板５５、電源入力基板５６、及び操作・表示基板５７と、各ポンプ装置２０に接続される一対の漏電遮断器５８と、ポンプ装置２０毎に対応して設けられた一対の直流リアクトル５９と、が、バックフレーム部５１ａの前面である搭載領域に、搭載される。また、ベースフレーム５１の搭載面には制御機器５２として、漏水検知基板６１や、拡張基板６２を増設することが可能である。
【００４４】
これらの制御機器５２は、締結部材５３によって取付孔５１ｃに締結されて搭載される。締結部材５３は、ポール状の部材であり制御機器５２とバックフレーム部５１ａとの間の距離を規定するスペーサ５３ａと、ねじ部などの締結部５３ｂと、を備える。スペーサ５３ａは、バックフレーム部５１ａの搭載面から前方に延び、バックフレーム部５１ａの搭載面と直交する方向に起立している。スペーサ５３ａの長さによって制御機器５２の前後方向の位置、すなわち搭載面からの距離が、規定される。
【００４５】
制御盤１５はボックス型ではなく、制御盤１５の搭載面側である正面側すなわち前方や、側方が開放されており、制御機器５２が露出している。
【００４６】
なお、電源入力基板５６、漏電遮断器５８、インバータ５４、主制御基板５５の充電部は、絶縁カバー６０で覆われている。
【００４７】
以上のように構成された給水装置１０は、ポンプ装置２０の下方で収容部を上下に仕切る仕切りフレーム１１ｄを備え、仕切りフレーム１１ｄには、配管を構成する部材が接続される配管用の孔部１１ｅ，１１ｇ，１１ｆが形成されている。したがって、配管の取り回しの自由度が高く、配管の設置作業や、各種メンテナンス作業が容易である。
【００４８】
また、給水装置１０は、仕切りフレーム１１ｄを、地上の設置面から約４０ｃｍ以上離間させることにより、メンテナンスや設置の際の作業性を向上できる。また、給水装置１０は、アキュムレータ１４の下側に、吐出側配管３０ｂや吸込側配管３０ａの直径以上の配管スペースを設けたことにより、吐出側配管３０ｂや吸込側配管３０ａを横向きに配設でき、配管の自由度が高い。さらに、給水装置１０は、サイドフレーム１１ｃにも配管用の孔部１９ａを形成し、ポンプカバー１２の下端縁を地上の設置面から上方に離間させて隙間を形成したことにより、側方や前方へ配管を導出することも可能であり、配管施工の自由度が高い。
【００４９】
給水装置１０は、仕切りフレーム１１ｄの下側にアキュムレータ１４を横向きに配置したことにより、騒音や発熱の大きい構成部品を配置する密閉構造の上部収容室Ａ１の空間を確保できる。また、仕切りフレーム１１ｄには、アキュムレータ１４と吐出連結曲管３５とを接続する接続管が配される貫通孔である接続管用の孔部１９ａを有するため、組立の作業性が良い。
【００５０】
また、給水装置１０において、仕切りフレーム１１ｄの、逆流防止装置１３の下方の位置に、排水孔部１１ｇを形成し、排水孔部１１ｇの周囲に円筒状のホッパ４１と管状継手４１ｂを設置する構成であるため、逆流防止装置１３の排水管施工が容易である。また、ホッパ４１と、逆流防止装置１３の排水口からの距離である吐水空間を、製品の段階で確保できる。
【００５１】
なお、本発明は、上記実施形態に限定されるものではなく、実施段階ではその要旨を逸脱しない範囲で種々に変形することが可能である。
【００５２】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５３】
１０…給水装置、１１…架台、１１ａ…底フレーム、１１ｂ…後部フレーム、１１ｃ…サイドフレーム、１１ｄ…仕切りフレーム、１１ｅ…吸込配管孔（孔部）、１１ｆ…吐出配管孔（孔部）、１１ｇ…排水孔（孔部）、１１ｈ…接続配管孔（孔部）、１１ｉ…台座フレーム、１１ｊ…支え、１１ｋ…脚フレーム、１２…ポンプカバー、１２ａ…前壁部、１２ｂ…側壁部、１２ｃ…上壁部、１２ｄ…傾斜壁部、１２ｅ…吸音材、１２ｆ…窓部、１２ｇ…下端縁、１２ｉ…窓部、１３…逆流防止装置、１４…アキュムレータ、１４ａ…接続配管、１５…制御盤、１６ａ…圧力センサ、１６ｂ…圧力センサ、１７…流量センサ、１８…逆止弁、１９ａ…配管用孔（孔部）、１９ｂ…配管用孔、２０…ポンプ装置、２１…モータ、２３…ポンプ、２３ａ…ポンプ吸込口、２３ｂ…ポンプ吐出口、３０…配管、３０ａ…吸込側配管、３０ｂ…吐出側配管、３１…吸込連結曲管、３１ａ…吸込口、３２…吸込連結管、３３…ボール弁部、３３ａ…管部、３３ｂ…ボール弁、３３ｃ…ステム、３４ａ…個別吐出管、３４ｂ…吐出連結管、３５…吐出連結曲管、３５ａ…吐出口、３６…バイパス連結部、３７…ストレーナ、３８…弁部、３８ａ…排水口、３９…漏水検知電極、４１…ホッパ、４１ｂ…管状継手、４２…吐出側防振継手、４３…吸込側防振継手、５１…ベースフレーム、５１ａ…バックフレーム部、５１ｂ…フロアフレーム部、５１ｃ…取付孔、５２…制御機器、５３…締結部材、５３ａ…スペーサ、５３ｂ…締結部、５４…インバータ、５５…主制御基板、５６…電源入力基板、５７…操作・表示基板、５８…漏電遮断器、５９…直流リアクトル、６０…絶縁カバー、６１…漏水検知基板、６２…拡張基板、Ａ１…上部収容室、Ａ２…下部収容室。
【図１】
2019143496.tif 000003
【図２】
2019143496.tif 000004
【図３】
2019143496.tif 000005
【図４】
2019143496.tif 000006
【図５】
2019143496.tif 000007
【図６】
2019143496.tif 000008
【図７】
2019143496.tif 000009
【図８】
2019143496.tif 000010
【図９】
2019143496.tif 000011
【図１０】
2019143496.tif 000012
【図１１】
2019143496.tif 000013
【図１２】
2019143496.tif 000014
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
架台と、
前記架台とともに収容部を構成するポンプカバーと、
前記収容部に配されるポンプ装置と、
前記収容部内に配され、前記ポンプ装置に接続される配管と、を備え、
前記架台は、前記ポンプ装置の下であって設置面から上方に離間した位置に配され、前記収容部を前記ポンプ装置と前記配管を収容する上方側と、下方側とに仕切るとともに、前記配管の下方に対向する位置に、孔部を有する、仕切りフレームを備え、
前記ポンプカバーは、設置面から上方に離間する下端縁を有する壁部を備え、
前記収容部の前記仕切りフレームの下方側の空間が開口する、給水装置。
【請求項２】
前記ポンプ装置は、ポンプ吸込口及びポンプ吐出口と、を備え、
前記配管は、前記仕切りフレーム上に配され、下向きの吸込口を有する吸込連結曲管と、前記仕切りフレーム上に配され、下向きの吐出口を有する吐出連結曲管と、を備え、
前記孔部は、前記吸込口及び前記吐出口、の少なくともいずれかの直下に配され、前記吸込口に接続される吸込側配管、または前記吐出口に接続される吐出側配管が前記孔部に配される請求項１に記載の給水装置。
【請求項３】
前記ポンプカバーは、前記壁部として前記ポンプ装置の前方を覆うとともに設置面から上方に離間した前記下端縁を有する前壁部を備えるとともに、前記架台に組付けられ、
前記仕切りフレームの下側に横向きに配されるアキュムレータを備え、
前記アキュムレータの下側に、前方に開口する配管スペースが形成され、
前記仕切りフレームは、前記仕切りフレーム上の吐出連結管と、前記仕切りフレーム下の前記アキュムレータとを接続する接続配管が配される接続配管用の前記孔部を備える、請求項２記載の給水装置。
【請求項４】
前記架台は、前記収容部の側方に配されるサイドフレームを備え、
前記サイドフレームの、前記仕切りフレームよりも下の位置には、配管が接続される配管用孔が形成されている、請求項１乃至３のいずれかに記載の給水装置。
【請求項５】
前記ポンプ装置の吸込側に接続される逆流防止装置を備え、
前記逆流防止装置は、前記仕切りフレーム上に配され、前記逆流防止装置は下向きの排水口を有する逃がし弁部を備え、
前記仕切りフレームの前記孔部は前記排水口の直下に配され、
前記逆流防止装置の下方において、前記仕切りフレームの前記孔部の周囲に、筒状の集水ホッパが設けられ、
前記仕切りフレームの、前記集水ホッパ及び前記孔部の下側に、継手が接続可能に構成された、請求項１乃至４のいずれかに記載の給水装置。
【請求項６】
前記架台は、前記ポンプ装置の背面側に配される後部フレームと、前記ポンプ装置の側方に配されるサイドフレームと、前記仕切りフレームの下方に配される底フレームと、を備え、
前記ポンプカバーは、前記ポンプ装置の前方を覆うとともに設置面から上方に離間した前記下端縁を有する前壁部と、前記ポンプ装置の側方を覆う側壁部と、前記ポンプ装置の上方を覆う上壁部と、を備え、前記架台に組付けられ、
前記孔部は、前記仕切りフレーム上に収容された前記配管に接続され、あるいは前記仕切りフレーム上に収容された前記配管に形成された開口部の直下に対向配置され、
前記ポンプカバーの前記前壁部の前記下端縁は前記仕切りフレームよりも下方に位置し、前記仕切りフレームの下側の空間の下側の領域が前方に開口する、請求項１に記載の給水装置。
【手続補正２】
【補正対象書類名】明細書
【補正対象項目名】０００６
【補正方法】変更
【補正の内容】
【０００６】
本発明の実施形態にかかる給水装置は、架台と、前記架台とともに収容部を構成するポンプカバーと、前記収容部に配されるポンプ装置と、前記収容部内に配され、前記ポンプ装置に接続される配管と、を備え、前記架台は、前記ポンプ装置の下であって設置面から上方に離間した位置に配され、前記収容部を前記ポンプ装置と前記配管を収容する上方側と、下方側とに仕切るとともに、前記配管の下方に対向する位置に、孔部を有する、仕切りフレームを備え、前記ポンプカバーは、設置面から上方に離間する下端縁を有する壁部を備え、前記収容部の前記仕切りフレームの下方側の空間が開口する、給水装置。
【手続補正３】
【補正対象書類名】明細書
【補正対象項目名】００５２
【補正方法】変更
【補正の内容】
【００５２】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下に、本願出願の当初の特許請求の範囲に記載された発明を付記する。
［１］
架台と、
前記架台を覆うとともに前記架台とともに収容部を構成するポンプカバーと、
前記収容部に配されるポンプ装置と、
前記収容部内に配され、前記ポンプ装置に接続される配管と、
前記収容部を前記ポンプ装置と前記配管を収容する一方側と、他方側に仕切るとともに、前記配管の開口部に対向する位置に、孔部を有する、仕切りフレームと、
を備える、給水装置。
［２］
前記ポンプ装置は、ポンプ吸込口及びポンプ吐出口と、を備え、
前記配管は、前記仕切りフレーム上に配され、下向きの吸込口を有する吸込連結曲管と、前記仕切りフレーム上に配され、下向きの吐出口を有する吐出連結曲管と、を備え、  前記開口部は、前記吸込口及び前記吐出口、の少なくともいずれかであり、
前記孔部は前記開口部の直下に配され、
前記仕切りフレームは前記吸込口に接続される吸込側配管、前記吐出口に接続される吐出側配管が配される孔部を有する、
［１］に記載の給水装置。
［３］
前記仕切りフレームの下側に横向きに配されるアキュムレータを備え、
前記アキュムレータの下側に、配管スペースが形成され、
前記仕切りフレームには、前記仕切りフレーム上の吐出連結管と、前記仕切りフレーム下の前記アキュムレータとを接続する接続配管が配される接続配管用の孔部を備える、［２］記載の給水装置。
［４］
前記架台は、前記収容部の側方に配されるサイドフレームを備え、
前記サイドフレームの、前記仕切りフレームよりも下の位置には、配管が接続される配管用の孔部が形成されている、［１］乃至［３］のいずれかに記載の給水装置。
［５］
前記ポンプ装置の吸込側に接続される逆流防止装置を備え、
前記逆流防止装置は、前記仕切りフレーム上に配され、前記逆流防止装置は下向きの排水口を有する逃がし弁部を備え、
前記仕切りフレームの前記孔部は前記排水口の直下に配され、
前記逆流防止装置の下方において、前記仕切りフレームの前記孔部の周囲に、筒状の集水ホッパが設けられ、
前記仕切りフレームの、前記集水ホッパ及び前記孔部の下側に、継手が接続可能に構成された、［１］乃至［４］のいずれかに記載の給水装置。